(57)【特許請求の範囲】
【請求項１】
躯体枠にて構成される建物の開口に屋外側から取り付けられるサッシ縦枠部と、該サッシ縦枠部の屋外側に形成され、シャッターカーテンの左右端縁を支持し昇降移動を案内するガイド溝が形成されたシャッターガイド枠部とが一体に形成される左右一対の縦枠と、
前記サッシ縦枠部の下端に連続し、前記建物開口に屋外側から取り付けられるサッシ下レール枠部と、該サッシ下レール枠部の屋外側に形成され、前記シャッターガイド枠部の下端に連続する水切部とが一体に形成され、前記左右各縦枠の下端における互いに対向する内面に両端縁を固定されて両縦枠を連結する下枠と、
前記サッシ縦枠部の上端に連続し、前記建物開口に屋外側から取り付けられるとともに、前記左右各縦枠の上端における互いに対向する内面に両端縁を固定されて両縦枠を連結するサッシ上レール枠と、
前記左右両縦枠の各上端に垂直上方向へ延出して設けられるとともに、屋外方向に延出する垂直な板状に形成されてシャッターケースの左右両側を構成する左右一対の側板と、
前記左右側板における前記サッシ上レール枠より所定距離離れた屋外側に位置し、前記縦枠のシャッターガイド枠部よりやや屋外側に位置する下縁間に掛け渡され、前記左右側板を連結する連結枠と、
前記建物開口を構成する躯体枠の開口上縁に位置する横枠に対して着脱自在に取り付けられるクランプ部が基端に設けられ、該クランプ部に対して延出し前記横枠に対して屋外方向に延出する鉤形状の引掛け部が先端に設けられる少なくとも一対の取付治具と、
を具備し、前記各枠及び側板を連結して略矩形に枠組みして建具枠を構成させ、前記取付治具を前記躯体枠に取り付けた状態で、前記枠組みされた建具枠を前記建物開口の屋外側から前記取付治具の引掛け部に吊下させ、前記建具枠の前記各枠及び側板を前記建物開口の前記躯体枠に固定させることを特徴とする建具枠の構造。
【請求項２】
躯体枠にて構成される建物の開口に屋外側から取り付けられるサッシ縦枠部と、該サッシ縦枠部の屋外側に形成され、シャッターカーテンの左右端縁を支持し昇降移動を案内するガイド溝が形成されたシャッターガイド枠部とが一体に形成される左右一対の縦枠と、
前記サッシ縦枠部の下端に連続し、前記建物開口に屋外側から取り付けられるサッシ下レール枠部と、該サッシ下レール枠部の屋外側に形成され、前記シャッターガイド枠部の下端に連続する水切部とが一体に形成され、前記左右各縦枠の下端における互いに対向する内面に両端縁を固定されて両縦枠を連結する下枠と、
前記サッシ縦枠部の上端に連続し、前記建物開口に屋外側から取り付けられるとともに、前記左右各縦枠の上端における互いに対向する内面に両端縁を固定されて両縦枠を連結するサッシ上レール枠と、
前記左右両縦枠の各上端に垂直上方向へ延出して設けられるとともに、屋外方向に延出する垂直な板状に形成されてシャッターケースの左右両側を構成する左右一対の側板と、
前記左右側板における前記サッシ上レール枠より所定距離離れた屋外側に位置し、前記縦枠のシャッターガイド枠部よりやや屋外側に位置する下縁間に掛け渡され、前記左右側板を連結する連結枠と、
前記建物開口を構成する躯体枠の開口上縁に位置する横枠に対して着脱自在に取り付けられるクランプ部が基端に設けられ、該クランプ部に対して延出し前記横枠に対して屋外方向に延出する鉤形状の引掛け部が先端に設けられる少なくとも一対の取付治具と、
を具備した建具枠の構造であって、前記各枠及び側板を予め連結して略矩形に枠組みして建具枠を構成させ、前記取付治具を前記躯体枠の開口上縁に位置する横枠に取り付け、該取付治具の前記引掛け部に、前記枠組みされた建具枠を前記建物開口の屋外側から吊下させ、前記建具枠の前記各枠及び側板を前記躯体枠に固定させ、その後前記取付治具を前記横枠および躯体枠から取り外すことを特徴とする建具枠の取付方法。
【発明の詳細な説明】
【０００１】
【発明の属する技術分野】
本発明は、住宅などの建物の窓部となる開口部等に設けられるサッシ枠とシャッター枠とで構成される建具枠の構造と、その取り付け方法に関するものである。
【０００２】
【従来の技術】
住宅などの建物の窓部などの開口部には、開閉自在なガラス戸を設けるためのサッシ枠が配設され、このサッシ枠の屋外側にこの開口部を覆う窓シャッターを構成するシャッター枠が組み付けられる。
【０００３】
これらサッシ枠とシャッター枠とは、建設施工中の建物の躯体枠に、外壁を施工する以前に取り付けられるが、従来では、建物の開口部を構成する躯体枠に配設する場合、まず開口部の上下左右の各躯体枠にサッシ枠を組み込み、その後に、このサッシ枠とは別体構成のシャッター枠を配設させるようになっている。
すなわち、建物開口部に対して、サッシ枠の上下左右の各枠体を、開口部を構成する躯体枠にそれぞれ固定させ、その後、このサッシ枠の周囲にシャッター枠を構成する左右のガイドレール及び下枠としての水切枠を配設させるようになっていた。
【０００４】
【発明が解決しようとする課題】
しかしながら、上述した従来のサッシ枠とシャッター枠の構造では、それぞれが別体の構成となっていることから、各枠体を建物開口部の躯体枠に対して個別に固定して枠組みを構成させるようになっており、その組み付け作業が容易ではなく、躯体枠に対して簡単に枠構造を構成させることができないという欠点があった。
【０００５】
また、現場での施工となることから、各枠体の垂直度や水平度を容易に得ることができず、対角寸法なども容易に得られないことから、躯体枠に対して精度よく組み付けられず、建物として完成された際に、サッシ戸やシャッターカーテンの開閉に支障をきたす問題点が発生するおそれがあった。
このようなことから、その各枠体を躯体枠に組み付ける施工に多数の作業者を必要とし、施工時の作業性が悪いという欠点があった。
【０００６】
そこで本発明は、上記問題点を解消するために、サッシ枠とシャッター枠とを容易に躯体枠へ取り付けることを可能とし、施工性のよい、簡素な構造とされる建具枠の構造とその取付方法を提供することを目的としている。
【０００７】
【課題を解決するための手段】
次に、上記の課題を解決するための手段を、実施の形態に対応する図面を参照して説明する。
【０００８】
本発明の建具枠の構造は、躯体枠５１にて構成される建物の開口５０に屋外Ｏ側から取り付けられるサッシ縦枠部４と、該サッシ縦枠部４の屋外Ｏ側に形成され、シャッターカーテンの左右端縁を支持し昇降移動を案内するガイド溝１１が形成されたシャッターガイド枠部１０とが一体に形成される左右一対の縦枠２，３と、
前記サッシ縦枠部４の下端に連続し、前記建物開口５０に屋外Ｏ側から取り付けられるサッシ下レール枠部１５と、該サッシ下レール枠部１５の屋外Ｏ側に形成され、前記シャッターガイド枠部１０の下端に連続する水切部１９とが一体に形成され、前記左右各縦枠２，３の下端２ａ，３ａにおける互いに対向する内面に両端縁１４ａを固定されて両縦枠２，３を連結する下枠１４と、
前記サッシ縦枠部４の上端に連続し、前記建物開口５０に屋外Ｏ側から取り付けられるとともに、前記左右各縦枠２，３の上端２ｂ，３ｂにおける互いに対向する内面に両端縁２１ｅを固定されて両縦枠２，３を連結するサッシ上レール枠２１と、
前記左右両縦枠２，３の各上端２ｂ，３ｂに垂直上方向へ延出して設けられるとともに、屋外Ｏ方向に延出する垂直な板状に形成されてシャッターケースの左右両側を構成する左右一対の側板２６，２７と、
前記左右側板２６，２７における前記サッシ上レール枠２１より所定距離離れた屋外Ｏ側に位置し、前記縦枠２，３のシャッターガイド枠部１０よりやや屋外Ｏ側に位置する下縁間に掛け渡され、前記左右側板２６，２７を連結する連結枠３５と、
前記建物開口５０を構成する躯体枠５１の開口上縁に位置する横枠５３に対して着脱自在に取り付けられるクランプ部３７が基端に設けられ、該クランプ部３７に対して延出し前記横枠５３に対して屋外Ｏ方向に延出する鉤形状の引掛け部３８が先端に設けられる少なくとも一対の取付治具３６と、
を具備し、前記各枠２，３，１４，２１及び側板２６，２７を連結して略矩形に枠組みして建具枠を構成させ、前記取付治具３６を前記躯体枠５１に取り付けた状態で、前記枠組みされた建具枠１を前記建物開口５０の屋外Ｏ側から前記取付治具３６の引掛け部３８に吊下させ、前記建具枠１の前記各枠２，３，１４，２１及び側板２６，２７を前記建物開口５０の前記躯体枠５１に固定させることを特徴としている。
【０００９】
本発明の建具枠の取付方法は、上述した構成よりなる建具枠の構造において、前記各枠２，３，１４，２１及び側板２６，２７を予め連結して略矩形に枠組みして建具枠１を構成させ、前記取付治具３６を前記躯体枠５１の開口上縁に位置する横枠５３に取り付け、該取付治具３６の前記引掛け部３８に、前記枠組みされた建具枠１を前記建物開口５０の屋外Ｏ側から吊下させ、前記建具枠１の前記各枠２，３，１４，２１及び側板２６，２７を前記躯体枠５１に固定させ、その後前記取付治具３６を前記横枠５３および前記躯体枠５１から取り外すことを特徴としている。
【００１２】
【発明の実施の形態】
図１は本発明による建具枠の構造の実施の形態を示す概略斜視図、図２は同建具枠の構造の側断面図、図３は同平断面図である。
【００１３】
本発明の建具枠の構造１は、左右一対の縦枠２，３と、下枠１４と、サッシ上レール枠２１と、左右一対の側板２６，２７と、連結枠３５とで大略構成されている。
【００１４】
まず、縦枠２，３は、図１に示すように、左右一対で構成され、サッシ縦枠部４と、シャッターガイド枠部１０とで構成されている。
【００１５】
サッシ縦枠部４は、図３及び図４に示すように、基板部５と延出板６とが直角に接合し、略Ｔ字状の断面が連続した長尺体で、延出板６は建物開口部５０を構成する躯体枠５１の垂直枠５２前面５２ａに沿って固定され、基板部５は一方の半部５ａが延出板６に対して屋内Ｉ側となり躯体枠５１の垂直枠内側面５２ｂに沿って固定されるようになり、他方の半部５ｂが延出板６に対してフランジ状に屋外Ｏ方向へ延出するようになっている。
【００１６】
また、このサッシ縦枠部４の基板部５の板面には、サッシ戸（図示せず）の縦框端面と対向する互いに平行な条縁７が複数突出形成されている。
【００１７】
なお、このサッシ縦枠部４の屋内Ｉ側となる一方の半部５ａの先端縁には、図３及び図４に示すように、断面Ｌ字状の被覆片８が延設され、また、延出板６の先端縁には、躯体枠５１の垂直枠前面５２ａに当接する短尺な条片９が突設形成され、延出板６の板面と垂直枠前面５２ａとの間にスリット状の間隙を得るようになっている。
【００１８】
また、シャッターガイド枠部１０は、サッシ縦枠部４の基板部５の他方の半部５ｂの先端縁に、この基板部５に対する延出板６の延出方向と反対の方向に突出するように一体に形成されており、略コ字状の断面が連続した形状で、上下に連続するガイド溝１１が形成され、対となる縦枠（２，３）のガイド溝１１と互いに対向するようになっている。
【００１９】
また、このシャッターガイド枠部１０は、図５に示すように、上端１０ａに拡幅形成されたシャッターカーテン（図示せず）の呑み込み口１２が形成され、下端１０ｂには、図４に示すように、ガイド溝１１の終端とさせる蓋部材１３が嵌合され固定される。
【００２０】
なお、これら縦枠２，３は、建物の躯体枠５１に固定されるサッシ縦枠部４の基板部５における一方の半部５ａが、躯体枠５１の垂直枠５２の内側面５２ｂにおける上下方向の長さと同等の長さに形成され、またシャッターガイド枠部１０が、サッシ縦枠部４よりやや長尺に設定され形成される。
【００２１】
次に、下枠１４は、サッシ下レール枠部１５と水切部１９とで構成される。
サッシ下レール枠部１５は、図２及び図４に示すように、階段状に複数の段部１６を有する上面を備え、各段部１６にサッシ戸のレールとなる突条１７が長手方向に沿って複数形成されるとともに、断面略Ｚ字状の下面１８を有し、断面多角形状の中空パイプ状に連続した長尺体で、屋内Ｉ側となる一方の半部１５ａが建物開口部５０を構成する躯体枠５１の下横枠５４の上面５４ａに沿って固定され、他方の半部１５ｂが屋外Ｏ方向へ延出するようになっている。
【００２２】
また、水切部１９は、傾斜した上面を有する断面矩形な中空パイプ状に連続した長尺体で、サッシ下レール枠部１５の屋外Ｏ側の他方の半部１５ｂの先端に連続し一体となって形成されている。
【００２３】
なお、この下枠１４のサッシ下レール枠部１５には、屋内Ｉ側の半部１５ａの端縁に、図４に示すように、断面Ｌ字状の被覆片２０が延出形成されている。
そして、この下枠１４は、奥行き幅の長さが、前記縦枠２，３と同等に設定されて形成され、この下枠１４の両端縁１４ａが縦枠２，３の下端２ａ，３ａにおける内面に固定されるようになっている。
【００２４】
次に、サッシ上レール枠２１は、前述した縦枠２，３におけるサッシ縦枠部４や下枠１４におけるサッシ下レール枠部１５の奥行き幅長と略同等の幅長の略短冊平板状に形成されているとともに、図２及び図５に示すように、一方の面である下面２１ａに、サッシ下レール枠部１５に形成されている突条１７と対向する突条２２が長手方向に沿って複数突出形成され、他方の面である上面２１ｂにこの上面２１ｂに対して垂直上方向に延出する当接片２３が設けられている。
【００２５】
また、このサッシ上レール枠２１は、下枠１４のサッシ下レール枠部１５と同様に、屋内Ｉ側となる一方の半部２１ｃが、建物開口部５０を構成する躯体枠５１の上横枠５３の下面５３ａ及び前面５３ｂに沿って固定されるようになっており、他方の半部２１ｄが屋外Ｏ方向へ延出するようになっている。
【００２６】
なお、図５に示すように、このサッシ上レール枠２１の屋外Ｏ側に延出する先端縁には、垂直上方向に折曲形成される補強片２４が形成され、また、屋内Ｉ側の端縁には、断面Ｌ字状の被覆片２５が延出形成されている。
そして、このサッシ上レール枠２１は、その両端縁２１ｅが縦枠２，３の上端２ｂ，３ｂにおける内面に固定されるようになっている。
【００２７】
次に、側板２６，２７は、左右一対で構成され、それぞれ図６に示すように、垂直な略矩形板状に形成されるとともに、上端縁と前端縁とに、フランジ状の上片部２８と前片部２９とが内面方向に延設され、下端縁には、後半部が切欠されている下片部３０が内面方向にフランジ状に延設されている。
【００２８】
また、後縁である基端縁には、外方向に延出するとともに、垂下方向に延出する固定片３１が設けられている。なお、この固定片３１と側板本体の板面との折曲部分における側板２６，２７の下端縁近傍には、固定片３１に沿うスリット状の切り込みが形成され、嵌合溝３２とされている。
【００２９】
なお、各側板２６，２７の互いに対向する内面の中央よりやや屋外Ｏ側には、コ字状に形成されている軸受ブラケット３３が固設されている。
【００３０】
また、これら側板２６，２７の各上片部２８には、図２及び図６に示すように、爪状の係合部３４が形成され、これら側板２６，２７に掛け渡されて取り付けられるシャッターケース５５を構成する外側板５６の両端と係合するようになっている。
【００３１】
次に、連結枠３５は、図１乃至図３に示すように、断面略Ｌ字状に形成された長尺な部材で前述した下枠１４と略同等の長さに形成され、前記サッシ上レール枠２１とともに建具枠１としての上枠を構成し、シャッターケース５５におけるシャッターカーテン出入口部分の一側となるまぐさを構成している。
【００３２】
そして、上述した左右の縦枠２，３と、下枠１４と、サッシ上レール枠２１と、左右の側板２６，２７と、連結枠３５とは、それぞれ互いに連結されて図１に示すように略矩形に枠組みされる。
【００３３】
この枠組み状態では、左右の縦枠２，３の下端２ａ，３ａにおける互いに対向する面に、下枠１４の両端縁１４ａをそれぞれ固定して両縦枠２，３を連結するように固定されるとともに、各縦枠２，３の上端２ｂ，３ｂにおける互いに対向する内面のサッシ縦枠部４にサッシ上レール枠２１が両端縁２１ｅをそれぞれ固定されて両縦枠２，３を連結するように固定され、すなわち左右縦枠２，３間の上下にサッシ上レール枠２１と下枠１４とが位置するように連結され、また、各縦枠２，３の上端２ｂ，３ｂに左右各側板２６，２７がそれぞれ固定され、そして各側板２６，２７間に連結枠３５が掛け渡されるように両端３５ａを固定されるようになっている。
【００３４】
また、この建具枠の構造には、上記のように枠組みされた建具枠１とは別体に構成される取付治具３６を具備している。
この取付治具３６は、図７に示すように、下向きに開放する略コ字状のクランプ部３７と、上向きに開放する略コ字状の引掛け部３８とがビーム板３９の基端と先端とに設けられた略Ｓ字状に形成されている。
【００３５】
クランプ部３７には、このクランプ部３７を構成する一対の垂直板の外側となる一方の垂直板３７ａに、雌ねじが形成されており、締結ボルト４０が螺着され、この締結ボルト４０の先端が内側となる他方の垂直板３７ｂに対向するようになっている。
【００３６】
また、引掛け部３８は、前述した連結枠３５が遊嵌される間隔となるような開口幅とされている。
【００３７】
そして、この取付治具３６は、躯体枠５１を構成する開口５０の上縁となる上横枠５３に上方からクランプ部３７が取り付けられ、締結ボルト４０によってこの上横枠５３に固定されるようになり、このクランプ部３７に対して引掛け部３８が屋外Ｏ方向に延出するようになる（図８参照）。
【００３８】
ビーム板３９を介して延出する引掛け部４０は、上横枠５３の前面５３ｂより所定の間隔、本実施の形態では、側板２６，２７の固定片３１から下片部３０の後端３０ａまでの距離と略同等の距離をあけて位置し、前述した建具枠１の連結枠３５が上方より遊嵌され、矩形状に枠組みされる建具枠１を吊下状態とさせるようになっている。
【００３９】
次に、以上のように構成された建具枠の構造を、建物開口部５０に取り付ける施工方法について説明する。
【００４０】
まず、左右の縦枠２，３の各下端２ａ，３ａにおける互いに対向するそれぞれの内側面に、下枠１４の両端縁１４ａをネジなどの固定手段にて締結固定させ、各縦枠２，３と下枠１４とを連結固定させる（図４参照）。
【００４１】
次に、両縦枠２，３の各上端２ｂ，３ｂにおける互いに対向する内側面のサッシ縦枠部４間に、サッシ上レール枠２１の両端縁２１ｅをネジなどの固定手段にて締結固定させ（図５参照）、各縦枠２，３とサッシ上レール枠２１とを連結固定させ、前記下枠１４とともに矩形に枠組みさせる。
【００４２】
次に、左右各縦枠２，３の上端２ｂ，３ｂに、図６に示すように、左右各側板２６，２７をそれぞれ取り付け、固定する。
このとき、側板２６，２７に形成されている嵌合溝３２に縦枠２，３の延出板６の基端側を嵌入させ、また、側板２６，２７の固定片３１の下部を延出板６の条片９側の板面に沿わせ、縦枠２，３の外側面と側板２６，２７の内側面とを当接させる状態として互いをネジなどの固定手段にて連結し固定する。
【００４３】
次に、左右各縦枠２，３の上端２ｂ，３ｂに固定された左右それぞれの側板２６，２７に形成されている下片部３０における各後端縁３０ａに、連結枠３５の端部３５ａをネジなどの固定手段にて固定し、この連結枠３５を両側板２６，２７間に掛け渡すように左右側板２６，２７と連結させ、この連結枠３５と両側板２６，２７、及び前記各枠２，３，１４，２１によって矩形に枠組みされ、図１に示すように、建具枠１を構成させる。
【００４４】
なお、枠組みされた状態において、連結枠３５は、サッシ上レール枠２１より屋外Ｏ側に位置するとともに、左右縦枠２，３のシャッターガイド枠部１０よりやや屋外Ｏ側に位置するようになり、各シャッターガイド枠部１０のガイド溝１１上端の呑み込み口１２の一側に位置することとなる。
【００４５】
次に、建物の窓などとなる開口部分５０における、この開口５０を構成する躯体枠５１の上横枠５３に取付治具３６を取り付ける。
この取付治具３６は、開口５０の左右幅長や、この開口５０に配設される建具枠１の左右幅長，高さなどを考慮して、適宜増減させて構成させるが、少なくとも一対で構成させ、各取付治具３６のクランプ部３７を躯体枠５１の上横枠５３の上方から、図７に示すように、先端の引掛け部３８をこの上横枠５３に対して屋外Ｏ方向に延出するように取り付け、締結ボルト４０を締めてこの上横枠５３に固定させる。
【００４６】
次に、図１及び図８に示すように、予め矩形に枠組みされた建具枠１の構造を持ち上げ、上枠を構成する連結枠３５を、各取付治具３６の引掛け部３８に上方より載置させ、すなわち各取付治具３６に対して建具枠１が吊下状態とさせる（図２及び図３参照）。
【００４７】
このとき、建具枠１を構成する左右縦枠２，３の各サッシ縦枠部４、下枠１４のサッシ下レール枠部１５、サッシ上レール枠２１の屋内Ｉ側の一部となる各略半部５ａ，１５ａ，２１ｃが躯体枠５１を構成する左右垂直枠５２の内側面５２ｂ、下横枠５４の上面５４ａ、上横枠５３の下面５３ａにそれぞれ当接するように沿い、すなわち、矩形に形成される各サッシ枠部分４，１５，２１の一部が躯体枠５１の開口５０内に嵌入され、また、左右縦枠２，３の延出板６、サッシ下レール枠部１８の下面、サッシ上レール枠２１の当接片２３が、左右垂直枠５２，下横枠５４，上横枠５３の各前面５２ａ，５４ｂ，５３ｂに当接する状態となり、これら各枠４，１４，２１が躯体枠５１に対して仮固定状態となる。
また、左右側板２６，２７は、固定片３１が躯体枠５１の左右垂直枠５２の前面５２ａに当接状態となる。
【００４８】
そして、各枠４，１４，２１及び、各側板２６，２７は、クギなどの固定手段にて躯体枠５１に対して固定される。
その後、取付治具３６の締結ボルト４０を緩め、クランプ部３７を上横枠５３から離脱させて、このクランプ部３７を上方に持ち上げることで、図９に示すように、連結枠３５とサッシ上レール枠２１との間より引掛け部３８を上昇させることができ、取り外されることとなり、これにより建具枠１の躯体枠５１への取付施工が完了される。
【００４９】
躯体枠５１に固定され施工が完了された建具枠１は、左右各縦枠２，３のサッシ縦枠部４、下枠１４のサッシ下レール枠部１５、サッシ上レール枠２１の各屋外Ｏ側一部が躯体枠５１に対して延出するとともに、左右縦枠２，３のシャッターガイド枠部１０と下枠１４の水切部１９が躯体枠５１よりも屋外Ｏ側に延出した位置となり、各ガイド溝１１が対向するようになり、また、左右側板２６，２７が躯体枠５１に対して屋外Ｏ方向に延出され、各側板２６，２７の内面が対向するようになる。
【００５０】
そして、躯体枠５１に固定された建具枠１には、左右側板２６，２７間にシャッター装置を構成する巻取軸や巻取機構部が配設されるとともに、図１０に示すように、各側板２６，２７に掛け渡されて取り付けられるシャッターケース５５を構成する外側板５６が取り付けられ、また、サッシ枠部分４，１５，２１には、サッシ戸が嵌め込まれる。
【００５１】
また、建具枠１の固定後は、各サッシ枠部分４，１５，２１に形成されている被覆片８，２０，２５の各外側面とこれらに対向する躯体枠５１の内側面との間には、屋内Ｉ方向に延出するそれぞれ縁枠５７，５８，５９，６０が配設され、また、躯体枠５１の屋内側Ｉ及び屋外側Ｏには、それぞれ室内壁６１及び外壁６２が施工される（図２及び図３参照）。
【００５２】
なお、シャッターケース５５を構成する外側板５６の取り付けの際には、左右側板２６，２７の上縁に設けられた係合部３４に、外側板５６の両端に形成される係合孔が係合され、この外側板５６を躯体枠５１に固定させる際の仮止めが行われるようになっている。
【００５３】
従ってこのように構成された建具枠１の構造では、サッシ枠部分とシャッター枠部分とを一体の構造とし、左右の縦枠２，３と、下枠１４と、サッシ上レール枠２１とを予め枠組みさせるとともに、シャッター装置の一部である左右の側板２６，２７と、これら側板２６，２７を連結する連結枠３５とで矩形に枠組みさせた後に、躯体枠５１へ固定させる構成とされているので、従来のように、縦横の各サッシ枠を躯体枠５１に固定し、その後にシャッター枠を固定させる、個別の固定施工の手順ではなく、また、各枠を固定する毎に水平，垂直の基準とする施工方法ではなく、一括して躯体枠５１に取り付け、固定させる施工構造、及び施工方法であるので、サッシ枠部分とシャッター枠部分とを同時に建物躯体枠５１に構築させることが可能となるとともに、この建具枠１の施工を容易なものとすることができ、作業性が向上することとなる。
【００５４】
また、予め矩形に枠組みされる構造であることから、寸法精度のよい建具枠１が得られ、サッシ戸の開閉やシャッターカーテンの開閉に支障をきたすことのない枠構造となり、また、シャッターケースを構成する左右の側板２６，２７も予め組み付けられる構成となっているので、シャッターガイド枠部１０のガイド溝１１に対する各側板の位置寸法、すなわちシャッター装置本体の配置位置の精度を向上させることができることとなる。
【００５５】
また、この建具枠１の構造によれば、サッシ枠部分とシャッター枠部分とが一体の構造であることから、建物の開口に対して見栄えよく配設されることとなり、また、簡素な構造となることから廉価に製作が可能となる。
【００５６】
さらに、躯体枠５１に対して着脱自在な取付治具３６を用いることで、躯体枠５１側への取付施工の際に、矩形に枠組みされた建具枠１を容易に躯体枠５１側へ仮固定でき、各枠２，３，１４，２１及び側板２６，２７の固定作業が行いやすくなるとともに、この仮固定時に枠組みされた建具枠１が落下してしまうことがなく、作業者が常に手で支持してなくても施工が行えるので、施工作業者を多数必要とせず、単独の施工作業者にて作業を行うことが可能となり、省人化を図ることが可能となる。
【００５７】
なお、上述した実施の形態では、建具枠１を構成する左右縦枠２，３，下枠１４の各サッシ枠部分４，１５と、サッシ上レール枠２１とが、建物開口５０内に一部が嵌入して躯体枠５１に固定される構造とした例について述べたが、躯体枠５１の上下横枠５３，５４および左右垂直枠５２における各前面５３ｂ，５４ｂ，５２ａに各枠２，３，１４，２１が固定されるように構成してもよい。
すなわち、建具枠１が、建物開口５０内に一部が嵌入せずに建物開口５０を構成する各枠５２，５３，５４に対して、屋外Ｏ方向に延出するように固定される構成としてもよい。
【００５８】
また、上述した実施の形態では、取付治具３６を、図７に示すように、ビーム板３９の先端と基端に引掛け部３８とクランプ部３７とを一体に構成させた例について述べたが、この取付治具３６はこの形状に限定されるものではない。
例えば、図１１に示すように、ビーム板３９の先端に垂下方向に延出する固定板３９ａを形成させ、この固定板３９ａに垂直に長尺な長孔を穿設し、引掛け部３８を略Ｊ字状の鉤形状に形成して、締結ネジ４１にて固定する構造としてもよい。この場合、ビーム板３９の固定板３９ａに対して締結ネジ４１を緩めることで引掛け部３８を上下に移動可能となり、建具枠１の躯体枠５１への取付施工後にこの取付治具３６の取り外しが容易となり、また建具枠１と躯体枠５１との上下方向の微妙な位置調整を行うことが可能となる。
また、取付治具３６を、図１２に示すように、上記のような略Ｊ字状の引掛け部３８をビーム板３９に対して上下に移動可能とするとともに、ビーム板３９の基端をクランプ部３７の水平板３７ｃに対してスライド移動自在な構成としてもよく、この場合では、クランプ部３７に対する引掛け部３８の延出長さを調整できることとなる。
【００５９】
【発明の効果】
以上説明したように本発明による建具枠の構造によれば、サッシ枠部分とシャッター枠部分とを一体の構造とし、左右の縦枠と、下枠と、サッシ上レール枠とを予め枠組みさせるとともに、シャッター装置の一部である左右の側板と、これら側板を連結する連結枠とで矩形に枠組みさせて建具枠を構成させる構造としたので、建物開口を構成する躯体枠に対して一括して取り付け固定させる施工構造とすることができ、このような取付施工方法とすれば、サッシ枠部分とシャッター枠部分とを同時に建物躯体枠に構築させることが可能となるとともに、この建具枠の施工を容易なものとすることができ、施工作業性が向上することが可能となる効果を得られる。
【００６０】
また、予め矩形に枠組みされる構造であることから、各枠の水平度，垂直度及び寸法精度のよい建具枠を得ることができ、サッシ戸の開閉やシャッターカーテンの開閉に支障をきたすことのない枠構造が得られるという効果がある。
【００６１】
さらに、この建具枠の構造によれば、シャッターケースを構成する左右の側板も予め組み付けられる構成となっているので、シャッターガイド枠部のガイド溝に対する各側板の位置寸法、すなわちシャッター装置本体の配置位置の精度を向上させることができるという効果が得られる。
【００６２】
また、この建具枠の構造によれば、サッシ枠部分とシャッター枠部分とが一体の構造であることから、建物の開口に対して見栄えよく配設される効果を得られ、また、簡素な構造で実現できることから廉価に製作することができる効果を得られる。
【００６３】
さらに、躯体枠に対して着脱自在な取付治具を備えたことで、建具枠の躯体枠側への取付施工の際に、矩形に枠組みされた建具枠を容易に躯体枠側へ仮固定でき、各縦枠，下枠，サッシ上レール枠及び側板の固定作業が行いやすくなるとともに、この仮固定時に枠組みされた建具枠が落下してしまうことがなく、作業者が常に手で支持してなくても施工が行えるので、施工作業者を多数必要とせず、単独の施工作業者にて作業を行うことが可能となり、省人化を図ることが可能となる。
【００６４】
また、建具枠を構成する左右側板に係合部を設けたことにより、各側板に掛け渡されて取り付けられるシャッターケースを構成する外側板を容易に取り付けることが可能となり、各側板を外側板との固定のためのネジなどの固定手段を削減でき、施工性を向上させることが可能となる。
【図面の簡単な説明】
【図１】本発明による建具枠の構造の実施の形態を示す概略斜視図
【図２】同建具枠の構造の側断面図
【図３】図２における III−III 線断面図
【図４】同建具枠の一部拡大斜視図
【図５】同建具枠の一部拡大斜視図
【図６】同建具枠の一部拡大分解斜視図
【図７】同建具枠の取付手順を示す概略側断面図
【図８】同建具枠の取付手順を示す概略側断面図
【図９】同建具枠の取付手順を示す概略側断面図
【図１０】同建具枠の取付手順を示す概略側断面図
【図１１】他の実施の形態における取付治具の概略側面図
【図１２】他の実施の形態における取付治具の概略側面図
【符号の説明】
１…建具枠
２，３…縦枠
２ａ，３ａ…下端
２ｂ，３ｂ…上端
４…サッシ縦枠
１０…シャッターガイド枠部
１１…ガイド溝
１４…下枠
１４ａ…端縁
１５…サッシ下レール枠部
１９…水切部
２１…サッシ上レール枠
２１ｅ…端縁
２６，２７…側板
３４…係合部
３５…連結枠
３６…取付治具
３７…クランプ部
３８…引掛け部
５０…建物開口
５１…躯体枠
５３…横枠（上横枠）
５５…シャッターケース
５６…外側板
Ｉ…屋内
Ｏ…屋外
【図１】
0003656343.tif 000002
【図２】
0003656343.tif 000003
【図３】
0003656343.tif 000004
【図４】
0003656343.tif 000005
【図５】
0003656343.tif 000006
【図６】
0003656343.tif 000007
【図７】
0003656343.tif 000008
【図８】
0003656343.tif 000009
【図９】
0003656343.tif 000010
【図１０】
0003656343.tif 000011
【図１１】
0003656343.tif 000012
【図１２】
0003656343.tif 000013